(57)【要約】【課題】筐体の内部または外部のどちらに配置されているか自身で判断することが可能な制御装置およびそれを用いた分電盤並びにインターホン装置を提供する。【解決手段】制御装置１０Ａは、本体部３と、本体部３が収納された第１筐体４と、第１筐体４に設けられ第１状態と第２状態とを切り替え可能なスイッチ９とを備える。本体部３は、制御対象である外部機器を制御する制御部５と、外部機器と通信する通信部６と、第１筐体４を収納可能な第２筐体の内部に第１筐体４が配置されているか否かを判定する判定部７とを備える。判定部７は、スイッチ９が第１状態であるときに第１筐体４が第２筐体２１の内部に配置されていると判定し、かつ、スイッチ９が第２状態であるときに第１筐体４が第２筐体２１の内部に配置されていないと判定するように構成されている。【選択図】図１
2016082290.tif 000002
【特許請求の範囲】
【請求項１】
本体部と、前記本体部が収納された第１筐体と、前記第１筐体に設けられ第１状態と第２状態とを切り替え可能なスイッチとを備え、
前記本体部は、制御対象である外部機器を制御する制御部と、前記外部機器と通信する通信部と、前記第１筐体を収納可能な第２筐体の内部に前記第１筐体が配置されているか否かを判定する判定部とを備え、
前記判定部は、前記スイッチが前記第１状態であるときに前記第１筐体が前記第２筐体の内部に配置されていると判定し、かつ、前記スイッチが前記第２状態であるときに前記第１筐体が前記第２筐体の内部に配置されていないと判定するように構成されている
ことを特徴とする制御装置。
【請求項２】
前記スイッチは、前記第１筐体の内部に収納され、
前記第１筐体は、前記スイッチに対応する位置に、前記第１筐体の外部から前記スイッチを操作するための孔が設けられ、
前記第２筐体は、前記第２筐体の内側面のうち、前記第１筐体が前記第２筐体の内部に配置された状態で前記孔に対応する位置に、突起が設けられ、
前記突起は、前記第１筐体が前記第２筐体の内部に配置されたときに、前記孔を通して前記スイッチを前記第１状態に保持するように構成されている
ことを特徴とする請求項１記載の制御装置。
【請求項３】
前記孔は、前記第１筐体のうち、前記第１筐体が前記第２筐体の内部に配置されていないときに前記第１筐体を保持する保持具により覆われる位置に、配置されている
ことを特徴とする請求項２記載の制御装置。
【請求項４】
前記第１筐体は、箱状に形成された第１基体と、箱状に形成された第２基体と、前記第１基体および前記第２基体を連結する連結部とを備え、前記第１基体と前記第２基体とが、前記連結部を回転軸として相互に回転することで折り畳み可能に構成され、
前記スイッチは、前記第１筐体が折り畳まれた状態であるか否かに応じて、前記第１状態と前記第２状態とを切り替えるように構成されている
ことを特徴とする請求項１記載の制御装置。
【請求項５】
前記本体部の動作に関する情報を表示する第１表示部と、前記情報を表示する第２表示部とを、更に備え、
前記第１表示部は、前記第１筐体のうち、前記第１筐体が折り畳まれた状態で隠れる第１面に配置され、
前記第２表示部は、前記第１筐体のうち、前記第１筐体が折り畳まれた状態で露出する第２面に配置されている
ことを特徴とする請求項４記載の制御装置。
【請求項６】
前記本体部は、前記判定部により判定された結果に応じて、動作状態を切り替えるように構成されている
ことを特徴とする請求項１ないし請求項５のいずれか１項に記載の制御装置。
【請求項７】
前記本体部は、前記判定部により判定された結果に応じて、前記第１表示部もしくは前記第２表示部に前記情報を表示させるように構成されている
ことを特徴とする請求項５記載の制御装置。
【請求項８】
前記通信部は、前記判定部により前記第１筐体が前記第２筐体の内部に配置されていると判定されたときに、前記外部機器である第１外部機器とは異なる第２外部機器と通信するように構成されている
ことを特徴とする請求項１ないし請求項７のいずれか１項に記載の制御装置。
【請求項９】
請求項１ないし請求項８のいずれか１項に記載の制御装置と、前記制御装置を収納する前記第２筐体とを備えている
ことを特徴とする分電盤。
【請求項１０】
請求項１ないし請求項８のいずれか１項に記載の制御装置と、前記制御装置を収納する前記第２筐体とを備えている
ことを特徴とするインターホン装置。
【発明の詳細な説明】
【技術分野】
【０００１】
本発明は、一般に、制御装置およびそれを用いた分電盤並びにインターホン装置に関し、より詳細には、家電機器等の電気機器を制御する制御装置およびそれを用いた分電盤並びにインターホン装置に関する。
【背景技術】
【０００２】
従来、分電盤と、通信機能を有する電力メータ（スマートメータ）と、エアコン、冷蔵庫、洗濯機等の家電機器とを備えた無線通信システムが提案されている（特許文献１）。
【０００３】
分電盤の筐体の内部には、通信機能を備えたＨＥＭＳ（Home Energy Management System）管理装置が配置されている。
【０００４】
ＨＥＭＳ管理装置は、電力計測部と、無線通信装置とを備えている。電力計測部は、住宅内で消費される電力の計測機能を有している。無線通信装置は、家電機器等の管理制御機能と、スマートメータとの通信機能とを有している。
【０００５】
特許文献１には、無線通信装置が、分電盤の筐体の外部に配置されていてもよい旨が記載されている。
【先行技術文献】
【特許文献】
【０００６】
【特許文献１】国際公開第２０１３／０７３５４８号
【発明の概要】
【発明が解決しようとする課題】
【０００７】
特許文献１に記載された無線通信システムにおける無線通信装置では、そもそも分電盤の筐体の内部および外部で共に使用することを意図しておらず、分電盤の筐体の内部または外部のどちらに配置されているか、無線通信装置自身で判断することが難しい。そのため、上述の無線通信装置では、例えば、筐体の内部に配置された場合の動作と筐体の外部に配置された場合の動作とを、自動的に切り替えることが困難である。
【０００８】
本発明の目的は、筐体の内部または外部のどちらに配置されているか自身で判断することが可能な制御装置およびそれを用いた分電盤並びにインターホン装置を提供することにある。
【課題を解決するための手段】
【０００９】
本発明の制御装置は、本体部と、前記本体部が収納された第１筐体と、前記第１筐体に設けられ第１状態と第２状態とを切り替え可能なスイッチとを備えている。前記本体部は、制御対象である外部機器を制御する制御部と、前記外部機器と通信する通信部と、前記第１筐体を収納可能な第２筐体の内部に前記第１筐体が配置されているか否かを判定する判定部とを備えている。前記判定部は、前記スイッチが前記第１状態であるときに前記第１筐体が前記第２筐体の内部に配置されていると判定し、かつ、前記スイッチが前記第２状態であるときに前記第１筐体が前記第２筐体の内部に配置されていないと判定するように構成されている。
【００１０】
本発明の分電盤は、前記制御装置と、前記制御装置を収納する前記第２筐体とを備えている。
【００１１】
本発明のインターホン装置は、前記制御装置と、前記制御装置を収納する前記第２筐体とを備えている。
【発明の効果】
【００１２】
本発明の制御装置においては、第２筐体の内部または外部のどちらに配置されているか自身で判断することが可能となる。
【００１３】
本発明の分電盤においては、第２筐体の内部または外部のどちらに配置されているか自身で判断することが可能な制御装置を備えた分電盤を提供することができる。
【００１４】
本発明のインターホン装置においては、第２筐体の内部または外部のどちらに配置されているか自身で判断することが可能な制御装置を備えたインターホン装置を提供することができる。
【図面の簡単な説明】
【００１５】
【図１】実施形態１の制御装置を示す概略構成図である。
【図２】実施形態１の制御装置を備えた分電盤の使用例を示す概略構成図である。
【図３】実施形態１の制御装置の斜視図である。
【図４】実施形態１の制御装置が分電盤の第２筐体に取り付けられた状態を示す断面図である。
【図５】実施形態１の制御装置を備えたインターホン装置の使用例を示す概略構成図である。
【図６】実施形態１の制御装置が保持具により保持された状態を示す斜視図である。
【図７】実施形態１の制御装置が保持具により保持された状態を示す一部破断された側面図である。
【図８】実施形態２の制御装置が分電盤の第２筐体に取り付けられた状態を示す一部破断された斜視図である。
【図９】実施形態２の制御装置が設置面に設置された状態を示す一部破断された斜視図である。
【発明を実施するための形態】
【００１６】
（実施形態１）
以下では、実施形態１の制御装置１０Ａについて、図１〜図４を参照しながら説明する。
【００１７】
制御装置１０Ａは、第１筐体４と、本体部３と、スイッチ９とを備えている。制御装置１０Ａは、例えば、分電盤２０（図２参照）における第２筐体２１の内部に配置される。
【００１８】
第１筐体４は、本体部３を収納するように構成されている。第１筐体４は、例えば、合成樹脂により構成されている。また、第１筐体４は、例えば、箱状（例えば、矩形箱状）に形成されている。第１筐体４には、第１筐体４を第２筐体２１に取り付ける取付片が、複数箇所に設けられている。また、第１筐体４には、第１接続口１、第２接続口２およびスイッチ９が設けられている。
【００１９】
第１接続口１は、第１電源を電気的に接続可能に構成されている。第１接続口１は、例えば、コネクタ（以下、「第１コネクタ」）である。第１接続口１は、例えば、上記第１電源の第１電源線１３（図２参照）に設けられた第２コネクタと電気的および機械的に接続されるように構成されている。上記第１電源は、第１電圧を出力するように構成されている。第１電圧は、例えば、直流電圧である。上記第１電源は、分電盤２０において後述の計測ユニット２４（図２参照）内に、設けられている。なお、上記第１電源は、計測ユニット２４とは別に設けられていてもよい。また、上記第１電源は、例えば、分電盤２０に設けられた主幹ブレーカ２２（図２参照）における二次側から電力供給を受けて第１電圧を出力するように構成されている。
【００２０】
第２接続口２は、第２電源を電気的に接続可能に構成されている。第２接続口２は、例えば、コネクタ（以下、「第３コネクタ」）である。第２接続口２は、例えば、上記第２電源の第２電源線に設けられた第４コネクタと電気的および機械的に接続されるように構成されている。上記第２電源は、例えば、ＡＣアダプタである。また、上記第２電源は、商用電源からの交流電圧を第２電圧に変換するように構成されている。第２電圧は、例えば、直流電圧である。第２電圧の電圧値は、例えば、第１電圧の電圧値と同じ大きさに設定されているが、第１電圧の電圧値と異なる大きさに設定されていてもよい。
【００２１】
第１接続口１と第２接続口２とは、例えば、図３に示すように、異なる形状に形成されていることが好ましい。これにより、制御装置１０Ａでは、例えば、第２接続口２に、第１電源線１３の第２コネクタが誤って接続されるのを防止することが可能となる。
【００２２】
第１接続口１と第２接続口２とは、例えば、図３に示すように、第１筐体４において互いに異なる面に配置されている。なお、第１接続口１と第２接続口２とは、第１筐体４において互いに同じ面に配置されていてもよい。ただし、制御装置１０Ａでは、第１接続口１と第２接続口２とが、第１筐体４において互いに異なる面に配置されていることで、例えば、第２接続口２に、第１電源線１３の第２コネクタが誤って接続され難くなる。
【００２３】
本体部３は、制御部５と、通信部６と、判定部７とを備えている。また、本体部３は、第１接続口１および第２接続口２と電気的に接続されている。
【００２４】
制御部５は、制御対象である外部機器５０（図２参照）を制御するように構成されている。制御部５は、例えば、マイクロコンピュータである。なお、制御部５は、マイクロコンピュータに限らず、例えば、制御用ＩＣであってもよい。また、外部機器５０は、第１外部機器に相当する。
【００２５】
外部機器５０は、例えば、通信機能を有する電気機器である。通信機能を有する電気機器としては、例えば、エアコン、給湯器、ＩＨ（Induction Heating）調理器等が挙げられる。また、通信機能を有する電気機器としては、例えば、太陽光発電装置、蓄電装置等も挙げられる。太陽光発電装置は、例えば、太陽電池である。蓄電装置は、例えば、リチウムイオン電池等の蓄電池である。
【００２６】
通信部６は、外部機器５０と通信するように構成されている。通信部６は、送信回路と、受信回路とを備えている。送信回路および受信回路の各々は、制御部５と電気的に接続されている。
【００２７】
通信部６は、外部機器５０との間で、例えば、電波を媒体として無線通信を行うように構成されている。具体的に説明すると、通信部６は、例えば、９２０ＭＨｚ帯の特定小電力無線通信を利用して無線通信を行うように構成されている。なお、通信部６は、９２０ＭＨｚ帯の特定小電力無線通信を利用して無線通信を行うように構成されているが、この構成に限らない。通信部６は、例えば、無線ＬＡＮ通信を利用して無線通信を行うように構成されていてもよい。また、通信部６は、外部機器５０との間で、無線通信を行うように構成されているが、例えば、通信線を媒体として有線通信を行うように構成されていてもよい。また、通信部６は、外部機器５０との間で、無線通信と有線通信との両方の通信が可能に構成されていてもよい。
【００２８】
判定部７は、分電盤２０における第２筐体２１の内部に、第１筐体４が配置されているか否かを判定するように構成されている。制御装置１０Ａでは、制御部５が、判定部７を備えているが、この構成に特に限定されない。
【００２９】
スイッチ９は、第１状態と第２状態とを切り替え可能に構成されている。一例を挙げて説明すると、スイッチ９は、オン状態とオフ状態とを切り替え可能に構成されている。スイッチ９は、例えば、モーメンタリスイッチである。スイッチ９は、図４に示すように、操作部９ａと、接点部９ｂとを備えている。スイッチ９は、制御部５と電気的に接続されている。なお、モーメンタリスイッチとは、操作部９ａが押されている間だけ接点部９ｂがオン状態もしくはオフ状態となる自動復帰型のスイッチを意味する。また、制御装置１０Ａでは、スイッチ９として、操作部９ａが押されている間だけ接点部９ｂがオン状態となる常開型のモーメンタリスイッチを用いている。以下では、説明の便宜上、常開型のモーメンタリスイッチを、「第１モーメンタリスイッチ」と称することもある。
【００３０】
本体部３は、上記第１電源もしくは上記第２電源から電力が供給されるように構成されている。また、本体部３は、電源部８を備えている。
【００３１】
電源部８は、例えば、制御部５および通信部６に電力を供給するように構成されている。電源部８は、例えば、第１電源回路８ａと、第２電源回路８ｂとを備えている。
【００３２】
第１電源回路８ａは、例えば、電解コンデンサである。第１電源回路８ａは、第１接続口１と電気的に接続されている。また、第１電源回路８ａは、制御部５および通信部６と電気的に接続されている。なお、第１電源回路８ａは、電解コンデンサに限らず、例えば、第１電圧を所定の直流電圧に変換するＤＣ／ＤＣコンバータ等であってもよい。
【００３３】
第２電源回路８ｂは、例えば、電解コンデンサである。第２電源回路８ｂは、第２接続口２と電気的に接続されている。また、第２電源回路８ｂは、制御部５および通信部６と電気的に接続されている。なお、第２電源回路８ｂは、電解コンデンサに限らず、例えば、第２電圧を上記所定の直流電圧に変換するＤＣ／ＤＣコンバータ等であってもよい。
【００３４】
第１電圧は、直流電圧に限らず、交流電圧であってもよい。この場合、第１電源回路８ａは、例えば、交流電圧を直流電圧に変換するＡＣ／ＤＣコンバータ等であればよい。また、第２電圧は、直流電圧に限らず、交流電圧であってもよい。この場合、第２電源回路８ｂは、例えば、交流電圧を直流電圧に変換するＡＣ／ＤＣコンバータ等であればよい。
【００３５】
電源部８は、第１電源回路８ａおよび第２電源回路８ｂの２つの電源回路を備えているが、この構成に限らず、例えば、第１電源回路８ａの機能と第２電源回路８ｂの機能とを有する１つの電源回路を備えていてもよい。
【００３６】
ところで、制御装置１０Ａでは、スイッチ９が、図４に示すように、第１筐体４の内部に収納されている。また、第１筐体４は、スイッチ９の操作部９ａに対応する位置に、第１筐体４の外部から操作部９ａを操作するための孔１４（図４参照）が設けられている。さらに、第２筐体２１は、第２筐体２１の内側面のうち、第１筐体４が第２筐体２１の内部に配置された状態で孔１４に対応する位置に、突起２１ａ（図４参照）が設けられている。突起２１ａは、第１筐体４が第２筐体２１の内部に配置されたときに、孔１４を通してスイッチ９の操作部９ａを押下するように構成されている。言い換えれば、突起２１ａは、第１筐体４が第２筐体２１の内部に配置されたときに、孔１４を通してスイッチ９をオン状態に保持するように構成されている。これにより、制御装置１０Ａでは、第１筐体４が第２筐体２１の内部に配置されたとき、スイッチ９がオン状態となる。
【００３７】
判定部７は、スイッチ９がオン状態であるときに、第１筐体４が第２筐体２１の内部に配置されていると判定するように構成されている。また、判定部７は、スイッチ９がオフ状態であるときに、第１筐体４が第２筐体２１の内部に配置されていないと判定するように構成されている。これにより、制御装置１０Ａでは、分電盤２０における第２筐体２１の内部または外部のどちらに配置されているか自身で判断することが可能となる。なお、この場合、スイッチ９のオン状態が第１状態に相当し、スイッチ９のオフ状態が第２状態に相当する。
【００３８】
制御装置１０Ａでは、スイッチ９として、第１モーメンタリスイッチを用いているが、これに限らず、操作部９ａが押されている間だけ接点部９ｂがオフ状態となる常閉型のモーメンタリスイッチを用いてもよい。この場合、判定部７は、スイッチ９がオフ状態であるときに、第１筐体４が第２筐体２１の内部に配置されていると判定するように構成される。また、判定部７は、スイッチ９がオン状態であるときに、第１筐体４が第２筐体２１の内部に配置されていないと判定するように構成される。なお、この場合、スイッチ９のオフ状態が第１状態に相当し、スイッチ９のオン状態が第２状態に相当する。また、以下では、説明の便宜上、常閉型のモーメンタリスイッチを、「第２モーメンタリスイッチ」と称することもある。
【００３９】
第２接続口２は、第１筐体４のうち第１筐体４が第２筐体２１の内部に配置されるときに第２筐体２１により覆われる位置に、配置されていることが好ましい（図３，４参照）。これにより、制御装置１０Ａでは、第１筐体４が第２筐体２１の内部に配置されたとき、第２接続口２が第２筐体２１により覆われるので、第２接続口２に、第１電源線１３の第２コネクタが誤って接続されるのを防止することが可能となる。
【００４０】
本体部３は、判定部７により判定された結果に応じて、動作状態を切り替えるように構成されている。一例を挙げて説明すると、本体部３は、第１筐体４が第２筐体２１の内部に配置されたときに実行する第１動作モードと、第１筐体４が第２筐体２１の外部に配置されたときに実行する第２動作モードとを有している。制御部５は、判定部７により第１筐体４が第２筐体２１の内部に配置されていると判定されたときに、第１動作モードを選択するように構成されている。また、制御部５は、判定部７により第１筐体４が第２筐体２１の内部に配置されていないと判定されたときに、第２動作モードを選択するように構成されている。これにより、制御装置１０Ａでは、例えば、第１筐体４が第２筐体２１の内部に配置された場合の動作と、第１筐体４が第２筐体２１の外部に配置された場合の動作とを、自動的に切り替えることが可能となる。なお、制御装置１０Ａでは、上記マイクロコンピュータに設けられた記憶部に、第１動作モードが記述された第１プログラムと、第２動作モードが記述された第２プログラムとが、記憶されている。
【００４１】
通信部６は、判定部７により第１筐体４が第２筐体２１の内部に配置されていると判定されたときに、外部機器５１（図２参照）と通信するように構成されている。外部機器５１は、例えば、操作端末である。具体的に説明すると、制御部５は、判定部７により第１筐体４が第２筐体２１の内部に配置されていると判定されたときに、通信部６を制御し、かつ、通信部６が外部機器５１と通信するように構成されている。これにより、制御装置１０Ａでは、第１筐体４が第２筐体２１の内部に配置されたとき、例えば、外部機器５１を用いて遠隔操作により制御装置１０Ａの設定等を変更することが可能となる。なお、外部機器５１は、第２外部機器に相当する。また、外部機器５１は、操作端末に限らず、例えば、表示端末等であってもよい。
【００４２】
制御装置１０Ａは、表示部１２を、更に備えている。
【００４３】
表示部１２は、本体部３の動作に関する情報（以下、「第１情報」）を表示するように構成されている。表示部１２は、例えば、発光ダイオードである。表示部１２は、制御部５と電気的に接続されている。また、表示部１２は、第１筐体４から露出されている。なお、第１情報とは、例えば、本体部３により選択された動作モード（第１動作モードあるいは第２動作モード）を示す情報等を意味する。また、制御装置１０Ａでは、例えば、第１情報を、発光ダイオードの点灯状態により表している。
【００４４】
制御部５は、表示部１２を制御するように構成されている。また、制御部５は、判定部７により判定された結果に応じて、動作状態の切り替えに伴い、表示部１２が表示する第１情報を変更するように構成されている。これにより、制御装置１０Ａでは、例えば、本体部３により選択された動作モードを、人に視認させることが可能となる。なお、表示部１２は、発光ダイオードに限らず、例えば、７セグメントディスプレイ、液晶ディスプレイ等であってもよい。
【００４５】
表示部１２は、第１表示部と、第２表示部とを備えていてもよい。第１表示部および第２表示部の各々は、本体部３の動作に関する情報（以下、「第２情報」）を表示するように構成される。第１表示部および第２表示部の各々は、例えば、液晶ディスプレイである。第１表示部は、例えば、第１筐体４において第１接続口１と同じ面に配置される。第２表示部は、例えば、第１筐体４において第２接続口２と同じ面に配置される。なお、第２情報とは、例えば、本体部３により選択された動作モードに関する情報等を意味する。
【００４６】
制御部５は、第１表示部および第２表示部を各別に制御するように構成される。また、制御部５は、判定部７により判定された結果に応じて、第１表示部もしくは第２表示部に第２情報を表示させるように構成されている。具体的に説明すると、制御部５は、判定部７により第１筐体４が第２筐体２１の内部に配置されていると判定されたときに、第１表示部に第２情報を表示させる。また、制御部５は、判定部７により第１筐体４が第２筐体２１の内部に配置されていないと判定されたときに、第２表示部に第２情報を表示させる。これにより、制御装置１０Ａでは、第１筐体４が第２筐体２１の内部または外部に配置されたとき、第１表示部と第２表示部との一方のみを動作させることが可能となる。よって、制御装置１０Ａでは、第１筐体４が第２筐体２１の内部または外部に配置されたとき、第１表示部と第２表示部との両方を動作させた場合に比べて、低消費電力化を図ることが可能となる。また、制御装置１０Ａでは、本体部３が、判定部７により判定された結果に応じて、第２情報を表示させる位置を変更することが可能となる。
【００４７】
なお、制御装置１０Ａは、表示部１２を備えているが、表示部１２を備えていなくてもよい。
【００４８】
また、制御装置１０Ａは、スイッチ９が第１筐体４の内部に収納された構成であるが、この構成に限らない。制御装置１０Ａは、例えば、スイッチ９の接点部９ｂが第１筐体４の内部に収納され、かつ、スイッチ９の操作部９ａが第１筐体４の孔１４から突出された構成であってもよい。この場合、分電盤２０における第２筐体２１の突起２１ａが不要となる。
【００４９】
以上説明した実施形態１の制御装置１０Ａは、本体部３と、本体部３が収納された第１筐体４と、第１筐体４に設けられ第１状態と第２状態とを切り替え可能なスイッチ９とを備えている。本体部３は、制御対象である外部機器５０を制御する制御部５と、外部機器５０と通信する通信部６と、第１筐体４を収納可能な第２筐体２１の内部に第１筐体４が配置されているか否かを判定する判定部７とを備えている。判定部７は、スイッチ９が第１状態であるときに第１筐体４が第２筐体２１の内部に配置されていると判定し、かつ、スイッチ９が第２状態であるときに第１筐体４が第２筐体２１の内部に配置されていないと判定するように構成されている。これにより、制御装置１０Ａでは、分電盤２０における第２筐体２１の内部または外部のどちらに配置されているか自身で判断することが可能となる。
【００５０】
スイッチ９は、上述のように、第１筐体４の内部に収納されていることが好ましい。第１筐体４は、上述のように、スイッチ９に対応する位置に、第１筐体４の外部からスイッチ９を操作するための孔１４が設けられていることが好ましい。第２筐体２１は、上述のように、第２筐体２１の内側面のうち、第１筐体４が第２筐体２１の内部に配置された状態で孔１４に対応する位置に、突起２１ａが設けられていることが好ましい。突起２１ａは、第１筐体４が第２筐体２１の内部に配置されたときに、孔１４を通してスイッチ９を第１状態に保持するように構成されていることが好ましい。これにより、制御装置１０Ａでは、例えば、第１筐体４が第２筐体２１に取り付けられたときに、制御装置１０Ａ自身が第２筐体２１の内部に配置されていると判断することが可能となる。
【００５１】
本体部３は、上述のように、判定部７により判定された結果に応じて、動作状態を切り替えるように構成されていることが好ましい。これにより、制御装置１０Ａでは、例えば、第１筐体４が第２筐体２１の内部に配置された場合の動作と、第１筐体４が第２筐体２１の外部に配置された場合の動作とを、自動的に切り替えることが可能となる。
【００５２】
通信部６は、上述のように、判定部７により第１筐体４が第２筐体２１の内部に配置されていると判定されたときに、外部機器５０である第１外部機器とは異なる第２外部機器（外部機器５１）と通信するように構成されていることが好ましい。これにより、制御装置１０Ａでは、第１筐体４が第２筐体２１の内部に配置されたとき、例えば、第２外部機器を用いて遠隔操作により制御装置１０Ａの設定等を変更することが可能となる。
【００５３】
以下、制御装置１０Ａを備えた分電盤２０について、図２に基づいて簡単に説明する。
【００５４】
分電盤２０は、制御装置１０Ａと、第２筐体２１とを備えている。
【００５５】
第２筐体２１は、制御装置１０Ａ、主幹ブレーカ２２および複数の分岐ブレーカ２３等を収納するように構成されている。第２筐体２１は、例えば、合成樹脂により構成されている。また、第２筐体２１は、例えば、箱状（例えば、矩形箱状）に形成されている。第２筐体２１は、例えば、戸建て住宅内の壁面に取り付けられる。分電盤２０は、複数の分岐ブレーカ２３の各々に、外部機器５０が電気的に接続される。
【００５６】
また、分電盤２０は、計測ユニット２４と、通信アダプタ２５とを備えている。なお、計測ユニット２４は、上記第１電源を備えている。
【００５７】
計測ユニット２４は、例えば、カレントトランス等の電流センサの出力電流を用いて特定の回路の電力を計測するように構成されている。上記電流センサは、主幹ブレーカ２２における一次側と磁気的に結合されている。
【００５８】
また、計測ユニット２４は、複数の電流センサ２９を具備するセンサブロック２８と電気的に接続されている。センサブロック２８は、複数の分岐ブレーカ２３に流れる電流を検出するように構成されている。電流センサ２９は、例えば、ロゴスキーコイルである。なお、電流センサ２９は、ＧＭＲ（Giant Magneto-Resistive）素子等であってもよい。
【００５９】
計測ユニット２４は、制御装置１０Ａと電気的に接続されている。また、計測ユニット２４は、制御装置１０Ａと通信（例えば、有線通信）が可能に構成されている。
【００６０】
通信アダプタ２５は、通信機能を備えた電力量計５２と通信（例えば、無線通信）が可能に構成されている。また、通信アダプタ２５は、端子台２７を介して主幹ブレーカ２２と電気的に接続されている。
【００６１】
通信アダプタ２５は、制御装置１０Ａと電気的に接続されている。また、通信アダプタ２５は、制御装置１０Ａと通信（例えば、有線通信）が可能に構成されている。
【００６２】
制御装置１０Ａは、計測ユニット２４および通信アダプタ２５を各別に制御するように構成されている。また、制御装置１０Ａは、例えば、計測ユニット２４により計測された電力と、電力量計５２により受信された節電要請とに基づいて、外部機器５０を制御するように構成されている。これにより、分電盤２０では、例えば、電力会社からの節電要請があったときに、制御装置１０Ａが自動的に外部機器５０を制御することが可能となり、利便性の向上を図ることが可能となる。なお、節電要請とは、例えば、エネルギー需要のピーク時に需要家宅の電力使用量を削減するための要請を意味する。
【００６３】
以上説明した実施形態１の制御装置１０Ａを備えた分電盤２０は、制御装置１０Ａと、制御装置１０Ａを収納する第２筐体２１とを備えている。これにより、分電盤２０では、第２筐体２１の内部または外部のどちらに配置されているか自身で判断することが可能な制御装置１０Ａを備えた分電盤２０を提供することができる。
【００６４】
制御装置１０Ａは、分電盤２０における第２筐体２１の内部に配置されているが、この構成に限らない。制御装置１０Ａは、例えば、図５に示すように、インターホン装置３０における筐体４０の内部に配置されていてもよい。つまり、制御装置１０Ａは、分電盤２０における第２筐体２１の代わりに、インターホン装置３０における筐体４０の内部に配置されていてもよい。
【００６５】
以下、制御装置１０Ａを備えたインターホン装置３０について、図５に基づいて簡単に説明する。
【００６６】
インターホン装置３０は、制御装置１０Ａと、筐体４０とを備えている。
【００６７】
筐体４０は、制御装置１０Ａ等を収納するように構成されている。筐体４０は、例えば、合成樹脂により構成されている。また、筐体４０は、例えば、箱状（例えば、矩形箱状）に形成されている。
【００６８】
インターホン装置３０は、例えば、戸建て住宅向けのインターホンシステムとして利用され、住宅内に設置されるインターホン親機である。また、インターホン装置３０は、住宅外（例えば、玄関先）に設置されるインターホン子機３１と、例えば、２線式の信号線３３を媒体として通信するように構成されている。
【００６９】
インターホン子機３１は、呼出釦を具備する呼出部３４と、居住者と通話するための第１通話部３５と、所定エリアを撮像して映像を得る撮像部３６と、上記所定エリアを照射する照明部３７とを備えている。また、インターホン子機３１は、インターホン装置３０と通信する第１通信部３８と、撮像部３６、照明部３７および第１通信部３８を制御する第１制御部３９と、電力を供給する電源部とを備えている。さらに、インターホン子機３１は、呼出部３４、第１通話部３５、撮像部３６、照明部３７、第１通信部３８、第１制御部３９および上記電源部を収納する筐体３２を備えている。筐体３２は、例えば、合成樹脂により構成されている。また、筐体３２は、例えば、箱状（例えば、矩形箱状）に形成されている。
【００７０】
また、インターホン装置３０は、第１通信部３８と通信する第２通信部４１と、撮像部３６で撮像して得られた映像等を表示する表示部４２と、応答釦および操作部を具備する操作部４３とを備えている。さらに、インターホン装置３０は、来訪者と通話するための第２通話部４４と、第２通信部４１、表示部４２および第２通話部４４を制御する第２制御部４５と、上記電源部へ給電する給電部とを備えている。
【００７１】
制御装置１０Ａは、第２制御部４５と電気的に接続されている。また、制御装置１０Ａは、操作部４３の操作釦により設定された条件に基づいて、外部機器５０を制御するように構成されている。
【００７２】
以上説明した実施形態１の制御装置１０Ａを備えたインターホン装置３０は、制御装置１０Ａと、制御装置１０Ａを収納する筐体４０（第２筐体）とを備えている。これにより、インターホン装置３０では、筐体４０の内部または外部のどちらに配置されているか自身で判断することが可能な制御装置１０Ａを備えたインターホン装置３０を提供することができる。
【００７３】
制御装置１０Ａは、分電盤２０における第２筐体２１の内部、もしくは、インターホン装置３０における筐体４０の内部に配置されているが、この構成に限らない。制御装置１０Ａは、例えば、第２筐体２１や筐体４０の外部に配置されていてもよい。この場合、制御装置１０Ａは、例えば、図６および図７に示すように、第１筐体４を保持する保持具５６により保持される構成であればよい。
【００７４】
第１接続口１は、第１筐体４のうち保持具５６により覆われる位置に、配置されていることが好ましい。言い換えれば、第１接続口１は、第１筐体４のうち、第１筐体４が第２筐体２１（あるいは筐体４０）の内部に配置されていないときに保持具５６により覆われる位置に、配置されていることが好ましい。これにより、制御装置１０Ａでは、第１筐体４が第２筐体２１（あるいは筐体４０）の外部に配置されたとき、第１接続口１が保持具５６により覆われるので、第１接続口１に、第２電源線の第４コネクタが誤って接続されるのを防止することが可能となる。
【００７５】
また、第１筐体４の孔１４は、第１筐体４のうち保持具５６により覆われる位置に、配置されていることが好ましい（図６，７参照）。言い換えれば、孔１４は、第１筐体４のうち、第１筐体４が第２筐体２１（あるいは筐体４０）の内部に配置されていないときに保持具５６により覆われる位置に、配置されていることが好ましい。これにより、制御装置１０Ａでは、第１筐体４が第２筐体２１（あるいは筐体４０）の外部に配置されたとき、孔１４が保持具５６により覆われるので、スイッチ９が誤って操作されるのを防止することが可能となる。
【００７６】
（実施形態２）
実施形態２の制御装置１０Ｂの基本構成は、実施形態１の制御装置１０Ａと同じであり、図８および図９に示すように、制御装置１０Ａにおける第１筐体４と異なる構成の第１筐体４６を備えている点等が、制御装置１０Ａと相違する。なお、制御装置１０Ｂでは、制御装置１０Ａと同様の構成要素に同一の符号を付して説明を適宜省略する。
【００７７】
第１筐体４６は、第１基体１５と、第２基体１６と、連結部１７とを備えている。また、第１筐体４６は、制御部５、通信部６、判定部７および電源部８を収納するように構成されている。第１筐体４６は、第１筐体４と同様に、例えば、分電盤２０における第２筐体２１の内部または外部に配置される。
【００７８】
第１基体１５は、例えば、合成樹脂により構成されている。また、第１基体１５は、例えば、箱状（例えば、矩形箱状）に形成されている。
【００７９】
第２基体１６は、例えば、合成樹脂により構成されている。また、第２基体１６は、例えば、箱状（例えば、矩形箱状）に形成されている。制御装置１０Ｂでは、第２基体１６に、第１接続口１、第２接続口２およびスイッチ９が設けられている。スイッチ９の操作部９ａは、第２基体１６から露出されている。
【００８０】
第１接続口１と第２接続口２とは、例えば、図８に示すように、第２基体１６において互いに異なる面に配置されている。これにより、制御装置１０Ｂでは、実施形態１の制御装置１０Ａと同様に、例えば、第２接続口２に、第１電源線１３の第２コネクタが誤って接続され難くなる。
【００８１】
連結部１７は、第１基体１５および第２基体１６を連結するように構成されている。連結部１７は、例えば、ヒンジである。
【００８２】
第１筐体４６は、第１基体１５と第２基体１６とが連結部１７を回転軸として相互に回転することで折り畳み可能に構成されている（図８，９参照）。
【００８３】
第１筐体４６は、例えば、第１筐体４６が分電盤２０における第２筐体２１の内部に配置されるとき、折り畳まれていない状態となる（図８参照）。また、第１筐体４６は、例えば、第１筐体４６が第２筐体２１の外部に配置されるとき、折り畳まれた状態となる（図９参照）。
【００８４】
スイッチ９は、第１筐体４６が折り畳まれた状態であるか否かに応じて、第１状態と第２状態とを切り替えるように構成されている。一例を挙げて説明すると、スイッチ９は、第２基体１６のうち、第１筐体４６が折り畳まれた状態のときに操作部９ａが第１基体１５により押下される位置から露出されている。スイッチ９は、第１筐体４６が折り畳まれた状態であるとき、オン状態となる。また、スイッチ９は、第１筐体４６が折り畳まれていない状態であるとき、オフ状態となる。なお、この場合、スイッチ９のオフ状態が第１状態に相当し、スイッチ９のオン状態が第２状態に相当する。
【００８５】
判定部７は、スイッチ９がオン状態であるときに、第１筐体４６が第２筐体２１の内部に配置されていないと判定するように構成されている。また、判定部７は、スイッチ９がオフ状態であるときに、第１筐体４６が第２筐体２１の内部に配置されていると判定するように構成されている。これにより、制御装置１０Ｂでは、分電盤２０における第２筐体２１の内部または外部のどちらに配置されているか自身で判断することが可能となる。
【００８６】
なお、スイッチ９は、第２モーメンタリスイッチである場合、第１筐体４６が折り畳まれた状態であるとき、オフ状態となる。また、スイッチ９は、第２モーメンタリスイッチである場合、第１筐体４６が折り畳まれていない状態であるとき、オン状態となる。この場合、判定部７は、スイッチ９がオフ状態であるときに、第１筐体４６が第２筐体２１の内部に配置されていないと判定するように構成される。また、判定部７は、スイッチ９がオン状態であるときに、第１筐体４６が第２筐体２１の内部に配置されていると判定するように構成される。また、この場合、スイッチ９のオン状態が第１状態に相当し、スイッチ９のオフ状態が第２状態に相当する。
【００８７】
制御装置１０Ｂでは、制御装置１０Ａと同様に、スイッチ９として、モーメンタリスイッチを用いているが、これに限らず、例えば、ヒンジスイッチを用いてもよい。この場合、スイッチ９は、連結部１７に設けられる。また、スイッチ９は、第１筐体４６が折り畳まれた状態のときに第２状態となり、第１筐体４６が折り畳まれていない状態のときに第１状態となる。
【００８８】
制御装置１０Ｂは、実施形態１の制御装置１０Ａにおける表示部１２の代わりに、第１表示部１８および第２表示部１９を備えている。
【００８９】
第１表示部１８は、本体部３の動作に関する情報を表示するように構成されている。第１表示部１８は、例えば、液晶ディスプレイである。以下では、説明の便宜上、第１表示部１８に表示される情報を、「第３情報」と称することもある。第３情報とは、例えば、本体部３により選択された第１動作モードに関する情報を意味する。
【００９０】
第１表示部１８は、第１筐体４６のうち、第１筐体４６が折り畳まれた状態で隠れる第１面１５ａ（図８参照）に配置されている。具体的に説明すると、第１表示部１８は、例えば、第１基体１５において第２基体１６が重なる第１面１５ａに配置されている。なお、第１表示部１８は、例えば、第２基体１６において第１基体１５が重なる第３面１５ｃに配置されていてもよい。
【００９１】
第２表示部１９は、本体部３の動作に関する情報を表示するように構成されている。第２表示部１９は、例えば、液晶ディスプレイである。以下では、説明の便宜上、第２表示部１９に表示される情報を、「第４情報」と称することもある。第４情報とは、例えば、本体部３により選択された第２動作モードに関する情報を意味する。
【００９２】
第２表示部１９は、第１筐体４６のうち、第１筐体４６が折り畳まれた状態で露出する第２面１５ｂ（図９参照）に配置されている。具体的に説明すると、第２表示部１９は、例えば、第１基体１５における第１面１５ａ（図８参照）とは反対側の第２面１５ｂ（図９参照）に配置されている。
【００９３】
なお、第１表示部１８は、液晶ディスプレイに限らず、例えば、７セグメントディスプレイ、発光ダイオード等であってもよい。また、第２表示部１９は、液晶ディスプレイに限らず、例えば、７セグメントディスプレイ、発光ダイオード等であってもよい。
【００９４】
本体部３は、判定部７により判定された結果に応じて、第１表示部１８もしくは第２表示部１９に上記情報を表示させるように構成されている。言い換えれば、本体部３は、判定部７により判定された結果に応じて、上記情報を表示させる位置を変更するように構成されている。具体的に説明すると、制御部５は、第１表示部１８および第２表示部１９を各別に制御するように構成されている。制御部５は、判定部７により第１筐体４６が第２筐体２１の内部に配置されていると判定されたときに、第１表示部１８を制御し、かつ、第１表示部１８に第３情報を表示させるように構成されている。また、制御部５は、判定部７により第１筐体４６が第２筐体２１の内部に配置されていないと判定されたときに、第２表示部１９を制御し、かつ、第２表示部１９に第４情報を表示させるように構成されている。これにより、制御装置１０Ｂでは、第１筐体４６が分電盤２０における第２筐体２１の内部または外部に配置されたとき、第１表示部１８と第２表示部１９との一方のみを動作させることが可能となる。よって、制御装置１０Ｂでは、第１筐体４６が分電盤２０における第２筐体２１の内部または外部に配置されたとき、第１表示部１８と第２表示部１９との両方を動作させた場合に比べて、低消費電力化を図ることが可能となる。
【００９５】
第１接続口１は、第２基体１６のうち、第１筐体４６が第２筐体２１の内部に配置されていないときに第１基体１５により覆われる位置（具体的には、第３面１５ｃ）に、配置されていることが好ましい。これにより、制御装置１０Ｂでは、第１筐体４６が第２筐体２１の外部に配置されたとき、第１接続口１が第１基体１５により覆われるので、第１接続口１に、第２電源線の第４コネクタが誤って接続されるのを防止することが可能となる。
【００９６】
なお、実施形態２の制御装置１０Ｂは、インターホン装置３０に適用されてもよい。すなわち、第１筐体４６は、インターホン装置３０における筐体４０の内部に配置されてもよい。
【００９７】
以上説明した実施形態２の制御装置１０Ｂでは、第１筐体４６が、箱状に形成された第１基体１５と、箱状に形成された第２基体１６と、第１基体１５および第２基体１６を連結する連結部１７とを備えている。また、第１筐体４６は、第１基体１５と第２基体１６とが連結部１７を回転軸として相互に回転することで折り畳み可能に構成されている。スイッチ９は、第１筐体４６が折り畳まれた状態であるか否かに応じて、第１状態と第２状態とを切り替えるように構成されている。これにより、制御装置１０Ｂでは、分電盤２０における第２筐体２１、もしくは、インターホン装置３０における筐体４０の内部または外部のどちらに配置されているか自身で判断することが可能となる。
【００９８】
制御装置１０Ｂは、上述のように、本体部３の動作に関する情報を表示する第１表示部１８と、上記情報を表示する第２表示部１９とを、更に備えていることが好ましい。第１表示部１８は、上述のように、第１筐体４６のうち、第１筐体４６が折り畳まれた状態で隠れる第１面１５ａに配置されていることが好ましい。第２表示部１９は、上述のように、第１筐体４６のうち、第１筐体４６が折り畳まれた状態で露出する第２面１５ｂに配置されていることが好ましい。これにより、制御装置１０Ｂでは、第１筐体４６が第２筐体２１（あるいは筐体４０）の内部に配置されたときに、例えば、本体部３により選択された動作モード（第１動作モード）を、人に視認させることが可能となる。また、制御装置１０Ｂでは、第１筐体４６が第２筐体２１（あるいは筐体４０）の外部に配置されたときに、例えば、本体部３により選択された動作モード（第２動作モード）を、人に視認させることが可能となる。
【００９９】
本体部３は、上述のように、判定部７により判定された結果に応じて、第１表示部１８もしくは第２表示部１９に上記情報を表示させるように構成されていることが好ましい。これにより、制御装置１０Ｂでは、第１筐体４６が第２筐体２１（あるいは筐体４０）の内部または外部に配置されたとき、第１表示部１８と第２表示部１９との一方のみを動作させることが可能となる。よって、制御装置１０Ｂでは、第１筐体４６が第２筐体２１（あるいは筐体４０）の内部または外部に配置されたとき、第１表示部１８と第２表示部１９との両方を動作させた場合に比べて、低消費電力化を図ることが可能となる。
【符号の説明】
【０１００】
３  本体部
４  第１筐体
５  制御部
６  通信部
７  判定部
９  スイッチ
１０Ａ  制御装置
１０Ｂ  制御装置
１４  孔
１５  第１基体
１５ａ  第１面
１５ｂ  第２面
１６  第２基体
１７  連結部
１８  第１表示部
１９  第２表示部
２０  分電盤
２１  第２筐体
２１ａ  突起
３０  インターホン装置
４０  筐体（第２筐体）
４６  第１筐体
５０  外部機器（第１外部機器）
５１  外部機器（第２外部機器）
５６  保持具
【図１】
2016082290.tif 000003
【図２】
2016082290.tif 000004
【図３】
2016082290.tif 000005
【図４】
2016082290.tif 000006
【図５】
2016082290.tif 000007
【図６】
2016082290.tif 000008
【図７】
2016082290.tif 000009
【図８】
2016082290.tif 000010
【図９】
2016082290.tif 000011